(57)【要約】【課題】表示の更新が不要で多くの情報が表示可能な表示記憶性を有するディスプレイと、表示の応答速度が速くユーザの指示に対して迅速に表示可能な表示非記憶性を有するディスプレイとに表示すべき情報を適切に分散し、ユーザの選択操作を高速化する画像表示装置を提供する。【解決手段】画像表示装置１は、コンテンツデータ入力部８０と、前記入力されたデータに対して一意に対応した符号を生成するメニュー番号生成部８４と、前記データに関する情報と当該データに対応した符号とが関連付けられた画像を生成するコンテンツ画像生成部９０と、表示記憶性を有し、前記画像を表示する第１の表示手段９２と、前記画像に含まれる前記符号の中から、指示すべき前記符号が選択される選択手段８８と、前記選択された符号の画像を生成するメニュー番号画像生成部９４と、表示非記憶性を有し、前記符号の画像を表示する第２の表示手段９６とを備える。【選択図】図３
2007114544.tif 000002
【特許請求の範囲】
【請求項１】
コンテンツのデータが入力される入力部と、
前記入力されたデータに対して一意に対応した符号を生成する符号生成部と、
前記データに関する情報と当該データに対応した符号とが関連付けられた画像を生成する
第１の画像生成部と、
表示記憶性を有し、前記画像を表示する第１の表示手段と、
前記画像に含まれる前記符号の中から指示すべき前記符号が選択される選択手段と、
前記選択された符号の画像を生成する第２の画像生成部と、
表示非記憶性を有し、前記符号の画像を表示する第２の表示手段とを備えることを特徴と
する画像表示装置。
【請求項２】
請求項１に記載の画像表示装置において、
前記選択された符号は、前記選択手段で更に確定され、
前記第１の画像生成部は、
前記確定された符号に対応したコンテンツの画像を更に生成すると共に、
前記第１の表示手段は、
前記コンテンツの画像を更に表示することを特徴とする画像表示装置。
【請求項３】
請求項１乃至２のいずれかに記載の画像表示装置において、
前記符号は、数字で構成されることを特徴とする画像表示装置。
【請求項４】
表示記憶性を有する第１の表示手段と、表示非記憶性を有する第２の表示手段とを具備
する画像表示装置の情報表示方法であって、
前記第１の表示手段に表示可能なコンテンツのデータが取得される工程と、
前記取得されたデータと一意に対応する符号が生成される工程と、
前記データに関する情報と当該データに対応した符号とが関連付けられた画像が生成され
る工程と、
前記画像が前記第１の表示手段に表示される工程と、
前記画像に含まれる前記符号の中から指示すべき前記符号が選択される工程と、
前記選択された符号の画像が生成される工程と、
前記画像が前記第２の表示手段で表示される工程とを有することを特徴とする画像表示装
置の情報表示方法。
【請求項５】
表示記憶性を有する第１の表示手段と、表示非記憶性を有する第２の表示手段とを具備
する画像表示装置の情報表示プログラムであって、
選択可能な項目に対して、それぞれ一意に対応する符号が生成される手順と、
前記項目と当該項目に対応した符号とが関連付けられた画像が、前記第１の表示手段に表
示される手順と、
それぞれの前記符号の画像が、前記第２の表示手段に選択可能に表示される手順とをコン
ピュータに実行させることを特徴とする画像表示装置の情報表示プログラム。
【発明の詳細な説明】
【技術分野】
【０００１】
本発明は、コンテンツを表示する画像表示装置、画像表示装置の情報表示方法および画
像表示装置の情報表示プログラムに関する。
【背景技術】
【０００２】
現在、表示記憶性を有する表示画面を具備した画像表示装置が用いられている。このよ
うな表示画面は、再描画させる動作が必要がないことから、画面上にフリッカーが発生し
ないため、表示画面を見るユーザの目に優しく、紙に近い表示品質が得られることが知ら
れている。他方で、このような表示画面は、表示を書き換える速度が遅いため、動きのあ
るユーザインターフェイス画像を表示させると、スムーズに操作できないという問題を有
した。このような問題に対処するために、下記特許文献１に記載されている表示媒体は、
表示の応答速度が表示画面よりも高速な表示非記憶性のサブディスプレイを、表示画面と
は独立して設け、ユーザインターフェイス画像等のコンテンツに関する情報を、このサブ
ディスプレイに表示させていた。
【０００３】
【特許文献１】特開２００４−１０２６６１号公報
【発明の開示】
【発明が解決しようとする課題】
【０００４】
しかしながら、サブディスプレイに多くの情報を表示させるためには、表示領域の広い
表示媒体を採用する必要があった。従って、画像表示装置に表示領域が広い２つのディス
プレイが独立して配置されることから、画像表示装置が大型化することに加えて、画像表
示装置の値段が高価になるという問題を有した。
【課題を解決するための手段】
【０００５】
上記した課題を解決するために、本発明の画像表示装置は、コンテンツのデータが入力
される入力部と、前記入力されたデータに対して一意に対応した符号を生成する符号生成
部と、前記データに関する情報と当該データに対応した符号とが関連付けられた画像を生
成する第１の画像生成部と、表示記憶性を有し、前記画像を表示する第１の表示手段と、
前記画像に含まれる前記符号の中から指示すべき前記符号が選択される選択手段と、前記
選択された符号の画像を生成する第２の画像生成部と、表示非記憶性を有し、前記符号の
画像を表示する第２の表示手段とを備えることを特徴とする。
【０００６】
この発明によれば、コンテンツに関する情報と当該コンテンツに対応した符号とを関連
付けて示す画像は、表示記憶性を有する第１の表示手段に表示され、指示すべく選択手段
で選択された符号の画像は、表示非記憶性を有する第２の表示手段で表示される。従って
、第１の表示手段には、選択手段での選択に応じて表示する画像を更新する必要が無く、
多くの情報が表示できることに加えて、第２の表示手段には、選択手段による選択に応じ
て更新が必要な符号の画像のみが表示されることから、符号のみを表示できる小型で安価
な表示媒体を第２の表示手段に適用できるため、表示の応答速度を低下させることなく安
価で小型化が可能な画像表示装置を実現できる。
【０００７】
本発明では、前記選択された符号は、前記選択手段で更に確定され、前記第１の画像生
成部は、前記確定された符号に対応したコンテンツの画像を更に生成すると共に、前記第
１の表示手段は、前記コンテンツの画像を更に表示することが好ましい。
【０００８】
この発明によれば、選択手段で確定された符号に対応したコンテンツの画像を、第１の
表示手段に表示できる。
【０００９】
また、本発明では、前記符号は、数字で構成されても良い。
【００１０】
上記した課題を解決するために、本発明の画像表示装置の情報表示方法は、表示記憶性
を有する第１の表示手段と、表示非記憶性を有する第２の表示手段とを具備する画像表示
装置の情報表示方法であって、前記第１の表示手段に表示可能なコンテンツのデータが取
得される工程と、前記取得されたデータと一意に対応する符号が生成される工程と、前記
データに関する情報と当該データに対応した符号とが関連付けられた画像が生成される工
程と、前記画像が前記第１の表示手段に表示される工程と、前記画像に含まれる前記符号
の中から指示すべき前記符号が選択される工程と、前記選択された符号の画像が生成され
る工程と、前記画像が前記第２の表示手段で表示される工程とを有することを特徴とする
。
【００１１】
この発明によれば、コンテンツに関する情報と当該コンテンツに対応した符号とを関連
付けて示す画像は、表示記憶性を有する第１の表示手段に表示され、指示すべく選択され
た符号の画像は、表示非記憶性を有する第２の表示手段で表示される。従って、第１の表
示手段には、選択に応じて表示する画像を更新する必要が無く、多くの情報が表示できる
ことに加えて、第２の表示手段には、選択に応じて更新が必要な符号の画像のみが表示さ
れることから、符号のみを表示できる小型で安価な表示媒体を第２の表示手段に適用でき
るため、表示の応答速度を低下させることなく安価で小型化が可能な画像表示装置を実現
できる。
【００１２】
上記した課題を解決するために、本発明の画像表示装置の情報表示プログラムは、表示
記憶性を有する第１の表示手段と、表示非記憶性を有する第２の表示手段とを具備する画
像表示装置の情報表示プログラムであって、選択可能な項目に対して、それぞれ一意に対
応する符号が生成される手順と、前記項目と当該項目に対応した符号とが関連付けられた
画像が、前記第１の表示手段に表示される手順と、それぞれの前記符号の画像が、前記第
２の表示手段に選択可能に表示される手順とをコンピュータに実行させることを特徴とす
る。
【００１３】
この発明によれば、選択可能な項目と当該項目に対応した符号とを関連付けて示す画像
は、表示記憶性を有する第１の表示手段に表示され、符号の画像は、表示非記憶性を有す
る第２の表示手段で選択可能に表示される。従って、第１の表示手段には、選択に応じて
、表示する画像を更新する必要が無く、多くの情報が表示できることに加えて、第２の表
示手段には、選択に応じて更新が必要な符号の画像のみが表示されることから、符号のみ
を表示できる小型で安価な表示媒体を第２の表示手段に適用できるため、表示の応答速度
を低下させることなく安価で小型化が可能な画像表示装置を実現できる。
【発明を実施するための最良の形態】
【００１４】
以下、本発明の実施形態について、携帯可能な電子機器装置である画像表示装置１を用
いて説明する。
（実施形態）
【００１５】
図１は、本実施形態における画像表示装置１の外観を示す図である。この画像表示装置
１は、電子書籍等の表示に使用される電子ペーパとして使用される。この画像表示装置１
の表面には、広範な表示領域を有するメインディスプレイ１０と、このメインディスプレ
イ１０よりも面積比で１０％以下の狭い表示領域を有するサブディスプレイ２０と、ユー
ザが操作可能な操作ボタン３０とが、互いに近接して配置されている。
【００１６】
メインディスプレイ１０には、電子書籍等のコンテンツ画像（図示は省略）や、メニュ
ー画像１００のようなユーザインターフェイス画像が表示される。このメニュー画像１０
０には、ユーザにより選択されるファイルの一覧が表示される。具体的には、コンテンツ
のファイル名を示す画像１１０と、コンテンツのファイルに対して、それぞれ一意に対応
するメニュー番号を示す画像１２０とで構成される。
【００１７】
また、サブディスプレイ２０には、メインディスプレイ１０に表示されるメニュー番号
の中から、ユーザにより指示されたメニュー番号を示す画像１２０Ａが表示される。操作
ボタン３０は、画像表示装置１に対する種々の操作や、メニュー画像１００の中から、所
望するファイルを選択すべく使用される。
【００１８】
例えば、それぞれの処理の詳細は後述するが、ユーザが「ＭＥＮＵ」ボタン３０Ｄを押
下すると、この図１に示すようなメニュー画像１００がメインディスプレイ１０に表示さ
れる。また、ユーザが方向ボタン３０Ａを押下することで、メニュー画像１００に表示さ
れているメニュー番号の指示位置が移動し、移動した指示位置のメニュー番号がサブディ
スプレイ２０に表示される。ここで、ユーザが「ＳＥＴ」ボタン３０Ｂを押下すると、サ
ブディスプレイ２０に表示されたメニュー番号が確定される。この結果、確定されたメニ
ュー番号に対応したファイルが開かれ、ファイルに含まれるコンテンツがメインディスプ
レイ１０に表示される。更に、ユーザが「ＥＸＩＴ」ボタン３０Ｃを押下すると、現在実
行されている処理は中止され、一つ前の状態に戻る。
【００１９】
また、図示は略すが、この画像表示装置１の側面や裏面には、外部の機器との間で種々
の情報を授受する通信ポートや、メモリカードのような取り外し可能なフラッシュメモリ
６４を装着可能なドライブや、外部から電源を取込むコネクタ等を備える。
【００２０】
図２は、画像表示装置１のハードウェア構成を示す図である。この画像表示装置１は、
ＣＰＵ６０と、ＲＡＭ６２と、フラッシュメモリ６４と、ＲＯＭ６６と、メインディスプ
レイコントローラ７０と、サブディスプレイコントローラ７２と、入力Ｉ／Ｆ６８とを備
え、これらのハードウェアは、バス７８により各信号が授受可能に接続されている。尚、
これらのハードウェアは、所定のオペレーティングシステム（ＯＳ）により管理され、Ｒ
ＯＭ６６やフラッシュメモリ６４に記憶されたドライバを含む種々のソフトウェアにより
、所定の機能が実行される。
【００２１】
ＣＰＵ６０は、基本ソフトウェアや接続された周辺機器のデバイスドライバなどの各種
プログラム、およびコンテンツ等の各種のデータを、ＲＯＭ６６やフラッシュメモリ６４
から読み込み、これらをＲＡＭ６２内に設けられるメインメモリ領域に展開して実行する
。尚、このＣＰＵ６０は、通常時には休止状態であるパワーダウンモードに遷移されるこ
とに加え、ユーザにより「ＭＥＮＵ」ボタン３０Ｄが押下されると、パワーアップモード
に遷移されるように構成されている。メインディスプレイコントローラ７０は、ＣＰＵ６
０の指示に従い、画像をメインディスプレイ１０に表示する。また、サブディスプレイコ
ントローラ７２は、ＣＰＵ６０の指示に従い、画像をサブディスプレイ２０に表示する。
【００２２】
メインディスプレイ１０は、本実施形態では、画素数が６４０画素×４８０画素以上で
あるコレステリック液晶パネルを採用しているが、電力非供給時においても表示内容を保
持する記憶性を有する表示体であれば、電気泳動方式の表示体等の方式でも良い。また、
サブディスプレイ２０は、本実施形態では発光するセグメントを組合せて数字を表示する
発光ダイオードディスプレイを採用しているが、メインディスプレイ１０よりも表示の応
答速度が速く、表示内容の保持に電力を要するディスプレイであれば、どのような方式で
も良い。例えば、液晶ディスプレイや、電界発光効果ディスプレイ等を採用できる。尚、
これらのディスプレイは、表示記憶性を有するディスプレイと比べて、安価で小型化およ
び薄型化が可能であることが知られている。また、入力Ｉ／Ｆ６８には、操作ボタン３０
が所定の規格に従い接続されている。
【００２３】
図３は、画像表示装置１の機能構成を示す機能ブロック図である。この中で、画像表示
装置１は、コンテンツデータ入力部８０と、記憶部８２と、メニュー番号生成部８４と、
メニュー番号選択部８６と、選択手段８８と、コンテンツ画像生成部９０と、第１の表示
手段９２と、メニュー番号画像生成部９４と、第２の表示手段９６とを備える。
【００２４】
コンテンツデータ入力部８０は、電子書籍等のコンテンツデータが外部から入力される
。具体的には、脱着可能なフラッシュメモリ６４や、通信ポート（図示せず）を介して外
部の機器から、電子書籍等のコンテンツを含むファイルデータが入力される。取得された
ファイルデータは、記憶部８２に送られる。また、取得されたファイルデータに関する情
報は、メニュー番号生成部８４に送られる。
【００２５】
メニュー番号生成部８４は、コンテンツデータ入力部８０から送られるファイルデータ
に関する情報を受け、それぞれのファイルデータに一意に対応した符号であるメニュー番
号を生成し、メニュー番号に関する情報を、記憶部８２とメニュー番号選択部８６に送る
。尚、符号は、数字による番号に限定されず、英数字や記号等を組み合わせても良い。
【００２６】
選択手段８８では、ユーザが所望する種々の命令が選択される。具体的には、ユーザが
操作ボタン３０を操作することで、実行すべき命令が選択される。例えば、メインディス
プレイ１０にメニュー画像１００が表示されている状態において、ユーザは、メインディ
スプレイ１０に表示するコンテンツを選択すべく、方向ボタン３０Ａや「ＳＥＴ」ボタン
３０Ｂを操作する。このように操作された操作ボタン３０に関する情報は、メニュー番号
選択部８６に送られる。
【００２７】
メニュー番号選択部８６は、メニュー番号生成部８４から送られるメニュー番号に関す
る情報と、選択手段８８から送られる操作ボタン３０に関する情報とに基き、生成された
メニュー番号の中から、指示されたメニュー番号を選択する。例えば、方向ボタン３０Ａ
の押下に関する情報が送られた場合、押下された回数に基き、現在指示されているメニュ
ー番号を選択する。
【００２８】
具体的には、方向ボタン３０Ａの中で、上方を示すボタンが押下されると、メニュー番
号は１つ増加される。また、下方を示すボタンが押下されると、メニュー番号は１つ減少
される。従って、上方および下方のボタンが押下された回数を、それぞれカウントするこ
とで、指示されているメニュー番号の順位を取得できる。続いて、メニュー番号生成部８
４から送られたメニュー番号の中から、取得した順位のメニュー番号を選択することで、
指示されているメニュー番号を取得できる。このように取得されたメニュー番号に関する
情報は、メニュー番号画像生成部９４に送られる。また、「ＳＥＴ」ボタン３０Ｂの押下
に関する情報が送られた場合、現在指示されているメニュー番号は、前記と同様に取得さ
れた後、取得されたメニュー番号に関する情報は、コンテンツ画像生成部９０に送られる
。
【００２９】
メニュー番号画像生成部９４は、第２の画像生成部であり、メニュー番号選択部８６か
ら送られるメニュー番号に関する情報に基き、指示されたメニュー番号を示す画像１２０
Ａのデータを生成する。生成された画像のデータは、第２の表示手段９６に送られ、指示
されたメニュー番号を示す画像１２０Ａが第２の表示手段９６を構成するサブディスプレ
イ２０に表示される。
【００３０】
記憶部８２は、コンテンツデータ入力部８０から送られるファイルデータや、メニュー
番号生成部８４から送られるメニュー番号に関する情報を記憶する。これらのデータや情
報は、コンテンツ画像生成部９０から参照される。
【００３１】
コンテンツ画像生成部９０は、第１の画像生成部であり、記憶部８２に記憶されたコン
テンツに関するデータや、メニュー番号選択部８６から送られる情報に基き、画像のデー
タを生成する。
【００３２】
具体的には、「ＭＥＮＵ」ボタン３０Ｄが押下された場合、コンテンツ画像生成部９０
は、メニュー番号に関する情報と、それぞれのメニュー番号に対応するファイル名の情報
を記憶部８２から受け、メニュー番号とファイル名とを一つの項目として同一の行に関連
付けて並べた画像のデータを生成する。また、このような項目が複数存在する場合は、例
えば、番号の昇順や降順に複数行に並べた画像のデータを生成する。
【００３３】
また、「ＳＥＴ」ボタン３０Ｂが押下された場合、コンテンツ画像生成部９０は、メニ
ュー番号選択部８６からメニュー番号に関する情報が送られるのを受け、このメニュー番
号に該当するファイルのコンテンツデータを記憶部８２から取得して、メインディスプレ
イ１０の全面にコンテンツを表示するような画像のデータを生成する。このように生成さ
れた画像のデータは、第１の表示手段９２に送られ、第１の表示手段９２を構成するメイ
ンディスプレイ１０に表示される。
【００３４】
以上、画像表示装置１の各機能部を説明したが、これらの機能は、前記したハードウェ
ア資源と、ソフトウェアとが有機的に協働することで実現される。
【００３５】
図４は、画像表示装置１の「ＭＥＮＵ」ボタン３０Ｄが押下された場合の処理の流れを
示すフローチャートであり、この図に従い、画像表示装置１の処理の流れを説明する。
【００３６】
最初に、「ＭＥＮＵ」ボタン３０Ｄが押下されると、ＣＰＵ６０がパワーアップモード
に遷移された後、選択可能なコンテンツの情報がメインディスプレイ１０に表示される工
程（ステップＳ１４０）が実行される。この工程の詳細は、後述する。
次に、操作ボタン３０が押下されたか、否かが判定される（ステップＳ１５０）。ここ
で、操作ボタン３０が押下されない場合（ステップＳ１５０でＮｏ）、操作ボタン３０が
押下されるまで前記判定（ステップＳ１５０）を繰返す。他方で、何れかの操作ボタン３
０が押下された場合（ステップＳ１５０でＹｅｓ）、次の工程（ステップＳ１５２）に進
む。
【００３７】
次に、押下された操作ボタン３０に応じて、それぞれの処理が実行される（ステップＳ
１５２）。ここで、押下される操作ボタン３０は、方向ボタン３０Ａ、「ＳＥＴ」ボタン
３０Ｂまたは「ＥＸＩＴ」ボタン３０Ｃの何れかである。それぞれのボタンに応じた処理
について、以下に説明する。
【００３８】
（１）方向ボタン３０Ａが押下された場合、押下された方向ボタン３０Ａに応じて、サ
ブディスプレイ２０に表示するメニュー番号は、メニュー番号選択部８６により取得され
る（ステップＳ１５４）。取得されたメニュー番号は、メニュー番号画像生成部９４に送
られ、このメニュー番号から指示されたメニュー番号を示す画像１２０Ａが生成された後
、サブディスプレイ２０に表示される（ステップＳ１５６）。続いて、サブディスプレイ
２０でのメニュー番号の表示が維持された状態で、操作ボタン３０が押下されたか、否か
判定される工程（ステップＳ１５０）に戻る。
【００３９】
（２）「ＳＥＴ」ボタン３０Ｂが押下された場合、サブディスプレイ２０上で稼動の終
了を示すメニュー番号が選択されているか、否かを判定する（ステップＳ１６２）。ここ
で、稼動の終了を示すメニュー番号が選択されている場合（ステップＳ１６２でＹｅｓ）
、全ての機能部に対して終了を指示し、操作ボタン３０の押下を待つ状態に戻る。尚、メ
インディスプレイ１０は表示記憶性を有するため、メインディスプレイ１０に表示されて
いた画像は、全ての機能部が終了した後も継続して表示される。
【００４０】
他方で、稼動の終了を示すメニュー番号が選択されていない場合（ステップＳ１６２で
Ｎｏ）、サブディスプレイ２０で表示されているメニュー番号に対応したコンテンツファ
イルが記憶部８２から読み込まれる（ステップＳ１６４）。続いて、読み込まれたコンテ
ンツファイルはコンテンツ画像生成部９０に送られ、コンテンツの画像がメインディスプ
レイ１０に表示される（ステップＳ１６６）。続いて、メインディスプレイ１０でのコン
テンツ画像の表示が維持された状態で、操作ボタン３０の押下を待つ状態に戻る。
【００４１】
（３）「ＥＸＩＴ」ボタン３０Ｃが押下された場合、実行中の処理は中断され（ステッ
プＳ１５８）、操作ボタン３０が押下されたか、否か判定される工程（ステップＳ１５０
）に戻る。
【００４２】
図５は、「ＭＥＮＵ」ボタン３０Ｄが押下された直後に、選択可能なコンテンツの情報
がメインディスプレイ１０に表示される工程（ステップＳ１４０）の処理の流れを示すフ
ローチャートであり、この図に従い各処理を説明する。
【００４３】
この処理が開始されると、選択可能な項目に対して、それぞれ一意に対応する符号が生
成される工程が実行され、最初に、メインディスプレイ１０で表示可能なコンテンツファ
イルに関する情報が取得される（ステップＳ１７０）。具体的には、コンテンツデータ入
力部８０で入力され、記憶部８２に記憶されたコンテンツを含むファイルデータの中から
、第１の表示手段９２を構成するメインディスプレイ１０で表示可能なファイルデータに
関する情報が取得される。
【００４４】
続いて、コンテンツを含むファイルデータが１つ以上取得されたか、否かが判定される
（ステップＳ１７２）。ここで、コンテンツを含むファイルデータが１つ以上取得されな
かった場合（ステップＳ１７２でＮｏ）、何もせず終了する。
【００４５】
他方で、コンテンツを含むファイルデータが１つ以上取得された場合（ステップＳ１７
２でＹｅｓ）、メニュー番号生成部８４により、取得されたファイルデータのそれぞれに
対して、一意に対応するメニュー番号が生成される（ステップＳ１７４）。
【００４６】
次に、選択可能な項目と当該項目に対応した符号とが関連付けられた画像が、第１の表
示手段９２に表示される工程が実行される。具体的には、記憶部８２に記憶されたメニュ
ー番号と、このメニュー番号に対応するファイルの属性の一つであるファイル名とが関連
付けられた画像がコンテンツ画像生成部９０で生成され、生成された画像はメインディス
プレイ１０に表示される（ステップＳ１７６）。
【００４７】
続いて、それぞれの符号の画像が、第２の表示手段９６に選択可能に表示される工程が
実行される。具体的には、現在指示されているメニュー番号がメニュー番号選択部８６で
取得される（ステップＳ１７８）。取得されたメニュー番号は、メニュー番号画像生成部
９４で画像化され、サブディスプレイ２０に表示される（ステップＳ１８０）。以上の処
理により、一連の処理が終了し、図１に示すように、メインディスプレイ１０には選択可
能なコンテンツがメニュー番号と共に表示され、サブディスプレイ２０には、現在ユーザ
により指示されているメニュー番号が表示される。
【００４８】
以上述べた実施形態によれば、以下のような効果を奏する。
（１）ユーザインターフェイスによる選択操作において、選択可能な項目に関する情報
は、広い表示領域を持つメインディスプレイ１０に表示されることに加え、ユーザが選択
した情報は、表示の応答速度が速いサブディスプレイ２０に迅速に表示されるため、ユー
ザは快適に選択操作できる。
【００４９】
以上、本発明を図示した実施形態に基づいて説明したが、本発明は、本実施形態に限定
されるものではなく、以下に述べるような変形例も想定できる。
（１）メインディスプレイ１０には、ファイル名を示す画像１１０とメニュー番号を示
す画像１２０とを関連付けて表示しているが、ファイル名に限定されず、更新時刻やファ
イル内容を示す画像のように、ファイルの属性を示す他の情報も同時に表示しても良い。
（２）ファイル名と、ファイル名に対応した番号とをメインディスプレイ１０に表示し
、ユーザが選択した番号をサブディスプレイ２０に表示させる方法は、メインディスプレ
イ１０に表示させるコンテンツの選択に限らず、同様な方法で、画像表示装置１に対する
操作指示をユーザに選択させても良い。
【図面の簡単な説明】
【００５０】
【図１】本実施形態の画像表示装置の外観を示す図。
【図２】本実施形態の画像表示装置のハードウェア構成を示す図。
【図３】本実施形態の画像表示装置の機能構成を示す機能ブロック図。
【図４】本実施形態の画像表示装置の処理の流れを示すフローチャート。
【図５】選択可能なコンテンツの情報がディスプレイに表示される工程の処理の流れを示すフローチャート。
【符号の説明】
【００５１】
１…画像表示装置、１０…メインディスプレイ、２０…サブディスプレイ、３０…操作
ボタン、３０Ａ…方向ボタン、３０Ｂ…「ＳＥＴ」ボタン、３０Ｃ…「ＥＸＩＴ」ボタン
、３０Ｄ…「ＭＥＮＵ」ボタン、６０…ＣＰＵ、６２…ＲＡＭ、６４…フラッシュメモリ
、６６…ＲＯＭ、６８…入力Ｉ／Ｆ、７０…メインディスプレイコントローラ、７２…サ
ブディスプレイコントローラ、７８…バス、８０…コンテンツデータ入力部、８２…記憶
部、８４…メニュー番号生成部、８６…メニュー番号選択部、８８…選択手段、９０…コ
ンテンツ画像生成部、９２…第１の表示手段、９４…メニュー番号画像生成部、９６…第
２の表示手段、１００…メニュー画像、１１０…ファイル名を示す画像、１２０…メニュ
ー番号を示す画像、１２０Ａ…指示されたメニュー番号を示す画像。
【図１】
2007114544.tif 000003
【図２】
2007114544.tif 000004
【図３】
2007114544.tif 000005
【図４】
2007114544.tif 000006
【図５】
2007114544.tif 000007